(57)【要約】      （修正有）【課題】全体として薄形であり、ファスナーエレメントやスライダーの引手の存在が目立つことがなく、その取付けも強固で、クリーニングアイロンがけも容易となる衣服用スライドファスナーを提供する。【解決手段】左右のテープ２，２は、衣服の開閉部内に設けられ、左右のファスナーエレメント３，３は、衣服の開閉部内となる左右のテープ２，２の裏面に設けられ、スライダー７は、その引手９が、左右のテープ２，２の表面から外部に突出するように設けられるとともに、衣服の開閉部内となる左右のテープ２，２の表面の内縁部どおしは、噛み合い状態とされた左右のファスナーエレメント３，３の頭部を略覆うように近接して設けられている。【選択図】図２
0003182698.tif 000002
【実用新案登録請求の範囲】
【請求項１】
衣服の開閉部を開閉する衣服用スライドファスナーにおいて、
左右のテープ（２，２）と、
左右テープ（２，２）の裏面に直接、その内縁部に沿って頭部（３ａ）を噛み合い状態として縫着されて設けられた、プラスチックコイルよりなる左右のファスナーエレメント（３，３）と、
左右のファスナーエレメント（３，３）を左右のテープ（２，２）に縫着させた左右の縫着糸列（５）であって、該縫着糸列は、二重環縫いを形成する上糸（５ａ）と下糸（５ｂ）の絡み部（５ｃ）が、テープ（２）の裏面において、ファスナーエレメント（３）を構成する螺旋環部の間に嵌入し、下糸（５ｂ）はテープ（２）の表面に直接長手方向に点線状に表れる縫着糸列（５）と、
噛み合い状態が分離された左右のファスナーエレメント（３，３）の夫々の一端部を、左右のテープ（２，２）の夫々に固定する左右の上止め（６，６）と、
左右のファスナーエレメント（３，３）を内包し、左右のファスナーエレメント（３，３）に沿ってスライドさせることにより、左右のファスナーエレメント（３，３）の一端部側は左右に分離し、左右のファスナーエレメント（３，３）の他端部側は噛み合い状態とされるように開閉作動するスライダー（７）であって、スライダー本体（８）の上部に回動自在に設けられた引手（９）を引くことにより、スライダー本体（８）内部に設けられたバネ係止片（１０）の係止先端部（１０ａ）が左右のファスナーエレメント（３，３）の噛み合い状態とされた頭部（３ａ）より引き上げられて、開閉方向にスライド自在となり、引手（９）を下ろすことにより、係止先端部（１０ａ）が噛み合い状態とされた頭部（３ａ）内に係合して、スライド不自由となるようにしたスライダー（７）と、
を具備し、
前記左右のテープ（２，２）は、前記衣服（Ｗ）の開閉部内に設けられ、前記左右のファスナーエレメント（３，３）は、衣服（Ｗ）の開閉部内となる左右のテープ（２，２）の裏面に設けられ、前記スライダー（７）は、その前記引手（９）が、左右テープ（２，２）の表面から外部に突出するように前記スライダー本体（８）に設けられるとともに、左右のテープ（２，２）の表面の内縁部どおしは、噛み合い状態とされた左右のファスナーエレメント（３，３）の頭部（３ａ）を略覆うように近接して設けられていることを特徴とする衣服用スライドファスナー。
【請求項２】
前記左右の上止め（６）は、透明な熱可塑性樹脂により形成され、前記ファスナーエレメント（３）の一端部であって、ファスナーエレメント（３）の前記縫着糸列（５）の内側に位置する前記頭部（３ａ）を内包して該頭部（３ａ）が透視されるように溶着されて設けられていることを特徴とする請求項１に記載の衣服用スライドファスナー。
【請求項３】
前記縫着糸列（５）は、前記左右のファスナーエレメント（３，３）を、該ファスナーエレメント（３，３）を構成するプラスチックコイルの内部に長手方向に全通して設けられた芯紐（４）を通して、ミシン掛けによる二重環縫いにより左右二列づつ縫着し、二重環縫いを形成する上糸（５ａ）と下糸（５ｂ）の絡み部（５ｃ）が、前記テープ（２）の裏面において、ファスナーエレメントを構成する螺旋環部の間に嵌入するように形成したことを特徴とする請求項１又は２に記載の衣服用スライドファスナー。
【請求項４】
前記スライダー（７）は、その前記スライダー本体（８）の上面に、前記引手（９）を回動自在に保持させる、略アーチ形の引手取付け部（１１）が設けられ、該引手取付け部（１１）は、スライダー本体（８）上面の前後に立設される前後取付柱（１１ａ，１１ｂ）を有し、前後取付柱（１１ａ，１１ｂ）の対向部の空間には、略倒Ｕ形をなすバネ板材よりなる前記バネ係止片（１０）が設けられ、バネ係止片（１０）の上片の大径とされた中間部分は、前後取付柱（１１ａ，１１ｂ）の開放上面間に固定される金属薄板よりなる上板片（１１ｃ）とされ、バネ係止片（１０）の下片の下先端部分は、先細形状とされて、前記スライダー本体（８）内部のファスナーエレメント通過空間内に突出する前記係止先端部（１０ａ）とされていることを特徴とする請求項１乃至３のいずれかに記載の衣服用スライドファスナー。
【請求項５】
前記左右のファスナーエレメント（３，３）は、その噛み合い状態とされた前記頭部（３ａ，３ａ）同志の噛み合い幅が広狭移動自在であることを特徴とする請求項１乃至４のいずれかに記載の衣服用スライドファスナー。
【考案の詳細な説明】
【技術分野】
【０００１】
本考案は、衣服の開閉部、例えば、作業用ズボンの前開き部開閉用の、衣服用スライドファスナーに関する。
本考案の衣服用スライドファスナーは、作業用上着の前開き部、スカートやスラックスの開閉スリット部など、一般的に、衣服の開閉部の開閉に用いられる。
【背景技術】
【０００２】
例えば、ズボンの前開き部に設けられる衣服用スライドファスナーは、スライドファスナーを構成するファスナーエレメントが前開き布によって覆われて、目立つことがないようにされている。
【０００３】
スライドファスナーを構成するファスナーエレメント及びスライダーが目立つことがないようにしたスライドファスナーとしては、下記特許文献１又は２に示される隠しスライドファスナーがある。
【０００４】
また、スライドファスナーは、その左右のファスナーエレメントの上端部が、上止めによってテープに止められているが、下記特許文献２には、隠しスライドファスナーの上止めとして、樹脂製の上止めが示されている。
【０００５】
特許文献１又は２の隠しスライドファスナーは、スライドファスナーを構成する左右のテープ内縁部の折り返し内側となるテープの表面に、プラスチックコイルよりなるファスナーエレメントを逢着している。また、スライドにより左右のファスナーエレメントを開閉させるスライダーの引手を、左右のテープの外側に突出させて、左右のテープの外側から開閉作動させるようにしている。
【０００６】
特許文献１又は２に示される従来の隠しスライドファスナーは、そのテープ内縁部が折り返し状とされており、厚みが大きい。また、使用するスライダーも厚みのあるテープの折り返し内縁部から引手を外方に突出させる必要から、引手取付け部を高く形成している。
【０００７】
このため、上記従来の隠しスライドファスナーを衣服用スライドファスナーとして用いる時には、そのテープ内縁部のファスナーエレメントやスライダーの引手の存在がかえって目立つことになり、クリーニングやアイロンがけに手間がかかるという問題がある。
【０００８】
さらに、下記特許文献２に示される樹脂製の上止めは、ブロック状で形状が大きく目立つ形状である。また、上止めが取り付けられるテープやファスナーエレメントと、色彩を一致させるデザイン上の要請から、テープに合わせた色彩とすることが求められ、部品点数が多くなるという問題がある。
【先行技術文献】
【特許文献】
【０００９】
【特許文献１】特許第３５８０３３７号公報
【特許文献２】特開２００４−１９５０４６号公報
【考案の概要】
【考案が解決しようとする課題】
【００１０】
本考案は、以上の課題を解決するものであり、衣服用スライドファスナーとして用いて、全体として薄形であり、ファスナーエレメントやスライダーの引手の存在が目立つことがなく、その取付けも強固で、クリーニングアイロンがけも容易である衣服用スライドファスナーを提供することを目的とする。
また、本考案は、上止めの存在が目立たず、デザイン的にも改良された衣服用スライドファスナーを提供することを目的とする。
【課題を解決するための手段】
【００１１】
前記目的を達成するための手段を、図の実施形態を参照して説明する。
【００１２】
請求項１に記載の本考案は、
衣服の開閉部を開閉する衣服用スライドファスナーにおいて、
左右のテープ２，２と、
左右テープ２，２の裏面に直接、その内縁部に沿って頭部３ａを噛み合い状態として縫着されて設けられた、プラスチックコイルよりなる左右のファスナーエレメント３，３と、
左右のファスナーエレメント３，３を左右のテープ２，２に縫着させた左右の縫着糸列５であって、該縫着糸列は、二重環縫いを形成する上糸５ａ（ルーパー糸）と下糸５ｂ（ニードル糸）の絡み部５ｃが、テープ２の裏面において、ファスナーエレメント３を構成する螺旋環部の間に嵌入し、下糸５ｂはテープ２の表面に直接長手方向に点線状に表れる縫着糸列５と、
噛み合い状態が分離された左右のファスナーエレメント３，３の夫々の一端部を、左右のテープ２，２の夫々に固定する左右の上止め６，６と、
左右のファスナーエレメント３，３を内包し、左右のファスナーエレメント３，３に沿ってスライドさせることにより、左右のファスナーエレメント３，３の一端部側は左右に分離し、左右のファスナーエレメント３，３の他端部側は噛み合い状態とされるように開閉作動するスライダー７であって、スライダー本体８の上部に回動自在に設けられた引手９を引くことにより、スライダー本体８内部に設けられたバネ係止片１０の係止先端部１０ａが左右のファスナーエレメント３，３の噛み合い状態とされた頭部３ａより引き上げられて、開閉方向にスライド自在となり、引手９を下ろすことにより、係止先端部１０ａが噛み合い状態とされた頭部３ａ内に係合して、スライド不自由となるようにしたスライダー７と、を具備し、ている。
さらに、請求項１の考案は、前記左右のテープ２，２は、前記衣服Ｗの開閉部内に設けられ、前記左右のファスナーエレメント３，３は、衣服Ｗの開閉部内となる左右のテープ２，２の裏面に設けられ、前記スライダー７は、その前記引手９が、左右のテープ２，２の表面から外部に突出するように設けられるとともに、衣服Ｗの開閉部内となる左右のテープ２，２の表面の内縁部どおしは、噛み合い状態とされた左右のファスナーエレメント３，３の頭部３ａを略覆うように近接して設けられていることを特徴とする衣服用スライドファスナー１にある。
【００１３】
上記請求項１の衣服用スライドファスナーでは、左右テープ２，２の裏面に直接、左右のファスナーエレメント３，３が縫着されて設けられ、衣服Ｗの開閉部内となる左右のテープ２，２の表面の内縁部どおしが左右のファスナーエレメント３，３の頭部３ａを略覆うように近接して設けられ、前記スライダー７は、その前記引手９が、左右のテープ２，２の表面から外部に突出するように設けられているところから、外部からファスナーエレメント３，３や引手が目立つことがなく、薄形であって、クリーニングやアイロンがけも容易となる。
【００１４】
請求項２に記載の本考案では、上記請求項１の構成において、前記左右の上止め６は、透明な熱可塑性樹脂により形成され、前記ファスナーエレメント３の一端部であって、ファスナーエレメント３の前記縫着糸列５の内側に位置する複数の前記頭部３ａを内包して該頭部３ａが透視されるようにテープ２に溶着されて設けられていることを特徴としている。
【００１５】
上記請求項２の衣服用スライドファスナーでは、上止め６の内部にファスナーエレメント３の頭部３ａ及び溶着されるテープ２が透視され、ファスナーエレメント３及びテープ２の色彩に合わせた色彩の上止め材料を用意する必要がなく製造が容易であり、また、上止め６が目立つということがない。
【００１６】
請求項３に記載の本考案は、前記縫着糸列５は、前記左右のファスナーエレメント３，３を、該ファスナーエレメント３，３を構成するプラスチックコイルの内部に長手方向に全通して設けられた芯紐４を通して、ミシン掛けによる二重環縫いにより左右二列づつ縫着し、二重環縫いを形成する上糸５ａと下糸５ｂの絡み部５ｃが、前記テープ２の裏面において、ファスナーエレメントを構成する螺旋環部の間に嵌入するように形成したことを特徴とする請求項１又は２に記載の衣服用スライドファスナーにある。
【００１７】
上記請求項３に記載の衣服用スライドファスナーでは、左右のファスナーエレメント３，３が、芯紐４を通して、二重環縫いにより左右二列づつ縫着されていることから、その縫着状態が強固であり、二重環縫いを形成する上糸５ａと下糸５ｂの絡み部５ｃが、ファスナーエレメントを構成する螺旋環部の間に嵌入するように形成されていることから薄形であって強固に形成される。
【００１８】
請求項４に記載の本考案は、前記スライダー７は、その前記スライダー本体８の上面に、前記引手９を回動自在に保持させる、略アーチ形の引手取付け部１１が設けられ、該引手取付け部１１は、スライダー本体８上面の前後に立設される前後取付柱１１ａ，１１ｂを有し、前後取付柱１１ａ，１１ｂの対向部の空間には、略倒Ｕ形をなすバネ板材よりなる前記バネ係止片１０が設けられ、バネ係止片１０の上片の後取付柱１１ｂ内の空間に突出する上先端部分は下方に折り曲げ状とされた折り曲げ部１０ｂとされ、バネ係止片１０の上片の大径とされた中間部分は、前後取付柱１１ａ，１１ｂの開放上面間に固定される金属薄板よりなる上板片１１ｃとされ、バネ係止片１０の下片の下先端部分は、凸状の先細形状とされて、前記スライダー本体８内部のファスナーエレメント通過空間内に突出する前記係止先端部１０ａとされていることを特徴とする請求項１乃至３のいずれかに記載の衣服用スライドファスナーにある。
【００１９】
上記請求項４に記載の衣服用スライドファスナーに用いるスライダー７では、バネ板材よりなるバネ係止片１０の一部である中間部分が、前後取付柱１１ａ，１１ｂの開放上面間に固定される略アーチ形引手取付け部１１の上板片１１ｃとされているところから、上記特許文献１に記載されるスライドファスナー用スライダーに比較し、スライダー７の引手取付け部１１の突出高さを低く形成させることができ、外部から目立つことがなく、その構成も簡単で、組み立ても容易である。
【００２０】
請求項５に記載の本考案は、前記左右のファスナーエレメント３，３は、その噛み合い状態とされた前記頭部３ａ，３ａ同志の噛み合い幅が広狭移動自在であることを特徴とする請求項１乃至４のいずれかに記載の衣服用スライドファスナーにある。
【００２１】
請求項５の構成では、スライドファスナーを閉じた状態で、左右のテープ２，２を横に引っ張ると、頭部３ａ，３ａ同志の噛み合い幅が広狭移動して、左右のファスナーエレメント３，３同志の間隔が広くなる。これにより、スライドファスナーを曲げたときに頭部同志の噛み合いが解けるパンク現象が防止される。従来のスライドファスナーでは、頭部３ａ，３ａ同志の噛み合い幅に余裕がなく、スライドファスナーを曲げたときに頭部同志の噛み合いが解けるパンク現象が生じることがあるが、本考案ではパンク現象が防止され改良されている。
【考案の効果】
【００２２】
上述したように、本考案に係る請求項１の衣服用スライドファスナーでは、左右テープ２，２の裏面に直接、左右のファスナーエレメント３，３が縫着されて設けられ、衣服Ｗの開閉部内となる左右のテープ２，２の表面の内縁部どおしが左右のファスナーエレメント３，３の頭部３ａを略覆うように近接して設けられ、前記スライダー７は、その前記引手９が、左右のテープ２，２の表面側から外部に突出するように設けられているところから、この種隠しスライドファスナーの構成が全体として薄形であって、外部からファスナーエレメント３，３や引手が目立つことがなく、クリーニングやアイロンがけも容易となる。
【００２３】
請求項２の衣服用スライドファスナーでは、上止め６の内部にファスナーエレメント３の頭部３ａ及び溶着されるテープ２が透視され、ファスナーエレメント３及びテープ２の色彩に合わせた色彩の上止め材料を用意する必要がなく、製造も容易であり、また、上止めが目立つということがなく、デザイン的にも改良されている。
【００２４】
請求項３に記載の衣服用スライドファスナーでは、左右のファスナーエレメント３，３が、芯紐４を通して、二重環縫いにより左右二列づつ縫着されていることから、その縫着状態が強固であり、二重環縫いを形成する上糸５ａと下糸５ｂの絡み部５ｃが、ファスナーエレメントを構成する螺旋環部の間に嵌入するように形成されていることから薄形であって強固に形成され、クリーニングやアイロンがけも容易となる。
【００２５】
請求項４に記載の衣服用スライドファスナーに用いるスライダー７では、バネ板材よりなるバネ係止片１０の一部である中間部分が、前後取付柱１１ａ，１１ｂの開放上面間に固定される略アーチ形引手取付け部１１の上板片１１ｃとされているところから、上記特許文献１に記載される隠しスライドファスナー用スライダーに比較し、スライダー７の引手取付け部１１の突出高さを低く形成させることができ、目立つことがなく、その構成も簡単で、組み立ても容易である。
【００２６】
請求項５に記載の衣服用スライドファスナーでは、スライドファスナーを閉じた状態で、左右のテープ２，２を横に引っ張ると、頭部３ａ，３ａ同志の噛み合い幅が広狭移動して、左右のファスナーエレメント３，３同志の間隔が広くなる。これにより、スライドファスナーを曲げたときに頭部同志の噛み合いが解けるパンク現象が防止される。従来のスライドファスナーでは、頭部３ａ，３ａ同志の噛み合い幅に余裕がなく、スライドファスナーを曲げたときに頭部同志の噛み合いが解けるパンク現象が生じることがあるが、本考案ではパンク現象が防止され、改良されている。
【図面の簡単な説明】
【００２７】
【図１】本考案にかかる衣服用スライドファスナーの衣服への取付け状態を示す正面図である。
【図２】同衣服用スライドファスナーの正面図（Ａ），及び背面図（Ｂ）である。
【図３】同衣服用スライドファスナーの縫着部分の拡大横断面図である。
【図４】同衣服用スライドファスナーの一部の核だ背面図である。
【図５】同衣服用スライドファスナーに用いる引手の側面図（Ａ），正面図（Ｂ），背面図（Ｃ），バネ係止片の斜視図（Ｄ）である。
【考案を実施するための形態】
【００２８】
以下、本考案を適用した実施の形態例を図１〜図５を参照して説明する。
【００２９】
実施の形態例に係る衣服用スライドファスナー１は、衣服Ｗとしての作業用ズボンの前立て部の開閉に用いられている。
この衣服用スライドファスナー１は、図１及び図２に示すように、左右のテープ２，２と、左右テープ２，２の裏面に直接、その内縁部に沿って頭部３ａを噛み合い状態として縫着されて設けられた、プラスチックコイルよりなる左右のファスナーエレメント３，３と、左右のファスナーエレメント３，３を左右のテープ２，２に縫着させた左右の縫着糸列５と、噛み合い状態が分離された左右のファスナーエレメント３，３の夫々の一端部を、左右のテープ２，２の夫々に固定する左右の上止め６，６と、左右のファスナーエレメント３，３を内包し、引手９を持って、左右のファスナーエレメント３，３に沿ってスライドさせることにより、左右のファスナーエレメント３，３の一端部側は左右に分離し、左右のファスナーエレメント３，３の他端部側は噛み合い状態とされるように開閉作動するスライダー７と、を具備し、ている。左右のファスナーエレメント３，３の噛み合い状態とされた下端部同志は、下止め１２金具により結合されている。
【００３０】
上記左右のテープ２，２は、上記衣服Ｗの前立て部の開閉部内の開閉縁部の裏面に沿って設けられ、上記左右のファスナーエレメント３，３は、衣服Ｗの開閉部内となる左右のテープ２，２の裏面に設けられ、上記スライダー７は、その前記引手９が、左右のテープ２，２の内縁部から外部に突出して、衣服Ｗの開閉縁部から衣服Ｗの外部に突出するように設けられるとともに、衣服Ｗの開閉部内となる左右のテープ２，２の表面の内縁部どおしは、噛み合い状態とされた左右のファスナーエレメント３，３の頭部３ａを略覆うように近接して設けられている。
【００３１】
上記縫着糸列５は、二重環縫いを形成する上糸５ａ（ルーパー糸）と下糸５ｂ（ニードル糸）の絡み部５ｃが、テープ２の裏面において、ファスナーエレメント３を構成する螺旋環部の間に嵌入し、図２（Ａ）に示すように、下糸５ｂはテープ２の表面に直接長手方向に点線状に表れる。図３及び図４に示されるように、縫着糸列５は、上記左右のファスナーエレメント３，３を、該ファスナーエレメント３，３を構成するプラスチックコイルの内部に長手方向に全通して設けられた芯紐４を通して、ミシン掛けによる二重環縫いにより左右二列づつ縫着し、二重環縫いを形成する上糸５ａと下糸５ｂの絡み部５ｃが、前記テープ２の裏面において、ファスナーエレメントを構成する螺旋環部の間に嵌入するように形成されている。
【００３２】
上記左右の上止め６は、図４に示されるように、透明な熱可塑性樹脂により形成され、上記ファスナーエレメント３の一端部であって、ファスナーエレメント３の上記縫着糸列５の内側に位置する複数の上記頭部３ａを内包して該頭部３ａが透視されるようにテープ２に溶着されて設けられている。
【００３３】
上記スライダー７は、図５に示されるように、その上記スライダー本体８の上面に、上記引手９を回動自在に保持させる、略アーチ形の引手取付け部１１が設けられる。引手取付け部１１は、スライダー本体８上面の前後に立設される前後取付柱１１ａ，１１ｂを有し、前後取付柱１１ａ，１１ｂの対向部の空間には、略倒Ｕ形をなすバネ板材よりなる上記バネ係止片１０が設けられ、バネ係止片１０の上片の後取付柱１１ｂ内の空間に突出する上先端部分は下方に折り曲げ状とされた折り曲げ部１０ｂとされ、バネ係止片１０の上片の大径とされた中間部分は、前後取付柱１１ａ，１１ｂの開放上面間に固定される金属薄板よりなる上板片１１ｃとされ、バネ係止片１０の下片の下先端部分は、凸状の先細形状とされて、前記スライダー本体８内部のファスナーエレメント通過空間内に突出する上記係止先端部１０ａとされている。
【００３４】
スライダー７は、そのスライダー本体８を構成する上板と下板の対向前部が案内柱によっ結合され、上板と下板の間に、前後方向に略Ｙ形の開閉溝が設けられている。スライダー本体８の上板の上面には上記引手取付け部１１が突設され、上板の下面は、平坦であって、上記テープ２の表面及び点線状の下糸５ｂに接する。の表面に直接長手方向に点線状に表れる。スライダー本体８の下板の上面には、上記ファスナーエレメント３を内包する略Ｙ形の開閉溝が設けられていいる。
引手９を引き上げることにより、引手９基部の軸部が、スライダー本体８内部に設けられたバネ係止片１０の下片の係止先端部１０ａを、上記開閉溝内にあるファスナーエレメント３，３の噛み合い状態とされた頭部３ａより引き上げて、スライダー７は開閉方向にスライド自在となる。また、引手９を下ろすことにより、係止先端部１０ａが噛み合い状態とされた頭部３ａ内に係合して、スライダー７はスライド不自由となる。
【００３５】
上記左右のファスナーエレメント３，３は、その噛み合い状態とされた上記頭部３ａ，３ａ同志の噛み合い幅が広狭移動自在であって、図２（Ｂ）に示すように、左右のファスナーエレメント３，３の幅（ｘ）が、頭部３ａ，３ａ同志の噛み合い状態において、広狭自在とされている。
【００３６】
このように、スライドファスナーを閉じた状態で、左右のテープ２，２を横に引っ張ると、頭部３ａ，３ａ同志の噛み合い幅が広狭移動して、左右のファスナーエレメント３，３同志の間隔が広くなる。これにより、スライドファスナーを曲げたときに頭部同志の噛み合いが解けるパンク現象が防止される。
【００３７】
本考案に係る衣服用スライドファスナーは、左右のファスナーエレメント３，３同志の下端部を下止め１２によって結合した上記クローズタイプのみならず、オープンタイプのスライドファスナーに用いることができる。オープンタイプのスライドファスナーでは、ファスナーエレメントの一方の下端部に壺が設けられ、ファスナーエレメントの他方の下端部には、該壺に抜き差し自在となる解離嵌挿棒が設けられる。
【符号の説明】
【００３８】
１  スライドファスナー
２  テープ
３  ファスナーエレメント，３ａ  頭部，３ｂ  基部
４  芯紐
５  縫着糸列，５ａ  上糸，５ｂ  下糸，５ｃ  絡み部
６  上止め
７  スライダー
８  スライダー本体
９  引手
１０  バネ係止片，１０ａ  係止先端部，１０ｂ  折り曲げ部
１１  引手取付け部，１１ａ，１１ｂ  前後取付柱，１１ｃ  上板片
１２  下止め
【図１】
0003182698.tif 000003
【図２】
0003182698.tif 000004
【図３】
0003182698.tif 000005
【図４】
0003182698.tif 000006
【図５】
0003182698.tif 000007